(57)【要約】【課題】データの伝送に大きな遅延が生じる長周期インターリーブ伝送システムにおいて、ニュースなどの緊急データを即時に伝送可能な長周期インターリーブ送信装置および受信装置を提供する。【解決手段】あるデータの伝送中に緊急放送データを割り込ませて伝送するに際し、インターリーブ送信装置６が割り込みの緊急放送データが伝送されることを示す緊急放送制御信号を伝送し、インターリーブ受信装置７が当該信号を検出するようにし、それまでのデータの送受信を一旦停止し、割り込みの緊急放送データをまず送受信した後、データの送受信を再開する。また、緊急放送データを、長周期インターリーブ部１０および長周期デインターリーブ部２０にて処理しないようにバイパスする。【選択図】        図５
2004343652.tif 000002
【特許請求の範囲】
【請求項１】
第１のデータ列を長周期インターリーブ伝送しているときに、前記第１のデータ列とは異なる第２のデータ列を割り込ませて伝送することを示す制御情報を、前記第１のデータ列および／または第２のデータ列とともに多重して伝送し、前記第１のデータ列の伝送を一旦停止して第２のデータ列を伝送し、該第２のデータ列の伝送完了後に第１のデータ列の伝送を再開することを特徴とする長周期インターリーブ送信装置。
【請求項２】
請求項１に記載の長周期インターリーブ送信装置において、前記第２のデータ列を、インターリーブ処理が行われないようにバイパスして伝送することを特徴とする長周期インターリーブ送信装置。
【請求項３】
長周期インターリーブ伝送された第１のデータ列を受信しているときに、前記第１のデータ列とは異なる第２のデータ列を割り込ませて伝送することを示す制御情報と、前記第１のデータ列および／または第２のデータ列とが多重されて伝送された情報を受信し、前記制御情報から第２のデータ列が多重されて伝送されることを認識して第２のデータ列を受信し、該第２のデータ列の受信完了後に第１のデータ列の受信を再開することを特徴とする長周期インターリーブ受信装置。
【請求項４】
請求項３に記載の長周期インターリーブ受信装置において、前記受信した第２のデータ列を、デインターリーブ処理が行われないようにバイパスすることを特徴とする長周期インターリーブ受信装置。
【発明の詳細な説明】
【０００１】
【発明の属する技術分野】
本発明は、長周期インターリーブ伝送方式を利用したデジタル伝送技術に係り、特に、緊急情報などの割り込みデータを送受信するデジタル伝送装置に関する。
【０００２】
【従来の技術】
従来、映像情報、音声情報などのデータを伝送するデジタル伝送システムには、図１に示すような、長周期インターリーブ伝送システムがある。図１は、従来の長周期インターリーブ伝送システムを説明するブロック図である。長周期インターリーブ伝送システム１は、伝送路４を介して接続されるインターリーブ送信装置２とインターリーブ受信装置３とを備えている。一般に、インターリーブ送信装置２は、データに対して符号化処理を行い、データの並びを攪拌（インターリーブ）して伝送する。インターリーブ受信装置３は、攪拌されたデータを元の並びに戻す逆攪拌（デインターリーブ）処理を行い、誤り符号訂正復号処理を行う。
【０００３】
インターリーブ送信装置２は、長周期インターリーブ部１０、外外符号符号化部１１、外符号符号化部１２、短周期インターリーブ部１３、内符号符号化部１４、同期信号発生部１５、およびデジタル変調部１６を備え、図示しない情報源からデータを入力し、インターリーブ処理、符号化処理、およびデジタル変調を行い、電波を伝送路４に送出する。また、インターリーブ受信装置３は、長周期デインターリーブ部２０、外外符号復号部２１、外符号復号部２２、短周期デインターリーブ部２３、内符号復号部２４、同期信号検出部２５、デジタル復調部２６、クロック再生部２７、および逓倍・分周部２８を備え、伝送路４から電波を受信し、デジタル変調、復号化処理、およびデインターリーブ処理を行い、データを出力する。
【０００４】
次に、長周期インターリーブ伝送システム１の動作について、図１および２を参照して説明する。まず、インターリーブ送信装置２の動作について説明する。長周期インターリーブ部１０は、図示しない情報源からデータ（ここでは１８８バイトのＭＰＥＧ２−ＴＳパケットとする。）を入力し、当該データを長周期インターリーブ部１０内に有するメモリに、図２の（１）部に示すように、上の行から順に書き込み、長周期のインターリーブを行う。次に、外外符号符号化部１１は、第１の誤り訂正符号パリティを図２の（１）部について縦方向に計算し、図２の（２）の位置に書き込む。次に、外符号符号化部１２は、第２の誤り訂正符号パリティを図２の（１）および（２）部について横方向に計算して、図２の（３）の位置に付加し、当該パリティが付加されたデータを短周期インターリーブ部１３に転送する。
【０００５】
短周期インターリーブ部１３は、深さ１０程度の短周期のインターリーブ（ビットの並び順を１０パケット分程度の中で擬似ランダムに入れ替える処理）を行う。内符号符号化部１４は、第３の誤り訂正符号パリティを付加する。その後、デジタル変調部１６は、ＱＰＳＫや１６ＱＡＭなどのデジタル変調方式により変調を行う。また、このとき同期信号発生部１５は、周期的に同期信号を挿入する。このようにして、インターリーブ送信装置２は、伝送路４に電波を送出する。
【０００６】
伝送路４では降雨時に電波が減衰するため、閾値以上の減衰が発生した場合には降雨遮断が発生する。この場合、インターリーブ受信装置３は、遮断している間の電波を受信することができない。
【０００７】
次に、インターリーブ受信装置３の動作について説明する。まず、デジタル復調部２６は、電波を受信し検波する。このとき、クロック再生部２７は、以降のブロック（内符号復号部２４、短周期デインターリーブ部２３、外符号復号部２２、外外符号復号部２１、および長周期デインターリーブ部２０）で利用されるタイミング基準信号（クロック信号）を発生する。更に、逓倍・分周部２８は、インターリーブ受信装置３各部で使われる周波数に合わせた逓倍または分周を行い、インターリーブ受信装置３各部にクロック信号として供給する。
【０００８】
また、同期信号検出部２５は、デジタル復調部２６により検波された信号を用いて、インターリーブ送信装置２で多重した同期信号の検出を行い、以降のブロックの処理に必要なゲート信号を発生する。
【０００９】
次に、内符号復号部２４は、第３の誤り訂正符号の復号を行い、ビット誤りを訂正する。短周期デインターリーブ部２３は、インターリーブ送信装置２の短周期インターリーブ部１３により順序入れ替えされたデータ系列を元の順序に戻すため、順序入れ替えを行う。その後、外符号復号部２２は、第２の誤り訂正符号の復号を行い、ビット誤りを訂正する。また、外符号復号部２２は、復号したデータを長周期デインターリーブ部２０のメモリに書き込む。図３に、そのデータの構成を示す。外外符号復号部２１は、図３に示したデータに対し、図３の（２）部の外外符号パリティを用いて第１の誤り訂正符号の復号を行い、ビット誤りを訂正する。そして、長周期デインターリーブ部２０は、デインターリーブを行い、メモリに書き込まれたデータを出力する。
【００１０】
ここで、伝送路４上で降雨遮断により誤りが発生した場合、長周期デインターリーブ部２０のメモリには、図４に示すようなデータが書き込まれる。図４に示すように、ＭＰＥＧ２−ＴＳパケットが書き込まれた（１）部の×は、伝送路４上で降雨遮断により誤りが発生した箇所である。この場合、縦方向のサイズ（Ｎ＋Ｐ）が非常に大きい値であるため、各列における誤りビットの割合は小さな値となる。このため、外外符号での誤り訂正を効率的に行うことが可能となり、降雨による遮断の影響を軽減することができる。
【００１１】
ところで、このようなインターリーブ伝送システムの例として、ＨＤＤなどのデバイスを用いて高速インターリーブを実現し、パケット誤り率を抑えることが可能な技術が提案されている（例えば、特許文献１参照。）。
【００１２】
【特許文献１】
特開２００３−１０１４１９号公報（段落〔００６２〕〔００７０〕、図１）
【００１３】
【発明が解決しようとする課題】
このように、長周期インターリーブ伝送を行うことにより、降雨遮断を改善することが可能となる。また、降雨遮断があったとしても、外外符号による訂正能力の範囲内であれば、遮断の影響を受けることなく伝送路４から電波を受信することも可能となる。
【００１４】
しかしながら、このような長周期インターリーブ伝送システム１では、データをインターリーブ送信装置２に入力し、インターリーブ受信装置３から取り出すまでに非常に大きな遅延時間がかかってしまうため、例えば、放送によるニュースなどの配信のように緊急データの配信の用途には向かないという問題があった。
【００１５】
本発明は、このような問題を解決するためになされたものであり、その目的は、上述したようなデータの伝送に大きな遅延が生じる長周期インターリーブ伝送システムにおいて、ニュースなどの緊急データを即時に伝送可能な長周期インターリーブ送信装置および受信装置を提供することにある。
【００１６】
【課題を解決するための手段】
上述した課題を解決するために、本発明の長周期インターリーブ送信装置は、第１のデータ列を長周期インターリーブ伝送しているときに、前記第１のデータ列とは異なる第２のデータ列を割り込ませて伝送することを示す制御情報を、前記第１のデータ列および／または第２のデータ列とともに多重して伝送し、前記第１のデータ列の伝送を一旦停止して第２のデータ列を伝送し、該第２のデータ列の伝送完了後に第１のデータ列の伝送を再開することを特徴とする。
【００１７】
また、本発明の長周期インターリーブ受信装置は、長周期インターリーブ伝送された第１のデータ列を受信しているときに、前記第１のデータ列とは異なる第２のデータ列を割り込ませて伝送することを示す制御情報と、前記第１のデータ列および／または第２のデータ列とが多重されて伝送された情報を受信し、前記制御情報から第２のデータ列が多重されて伝送されることを認識して第２のデータ列を受信し、該第２のデータ列の受信完了後に第１のデータ列の受信を再開することを特徴とする。
【００１８】
また、本発明の長周期インターリーブ送信装置または受信装置は、さらに、前記第２のデータ列に対して、インターリーブ処理またはデインターリーブ処理が行われないようにバイパスすることを特徴とする。
【００１９】
【発明の実施の形態】
以下、図面を参照して、本発明の実施の形態について詳細に説明する。
図５は、本発明の実施の形態に係る長周期インターリーブ送信装置および受信装置を含む長周期インターリーブ伝送システムを説明するブロック図である。なお、図５に示す長周期インターリーブ伝送システム５を構成する要素のうち、図１に示した長周期インターリーブ伝送システム１を構成する要素と同一の要素には同一の符号を付し、それぞれの説明を省略する。
【００２０】
図５に示すように、長周期インターリーブ伝送システム５は、伝送路４を介して接続されるインターリーブ送信装置６とインターリーブ受信装置７とを備え、さらに図示しない緊急放送指示入力部を備えている。図１に示した長周期インターリーブ伝送システム１と比べると、長周期インターリーブ伝送システム５は、図示しない緊急放送指示入力部を備えている点において異なる。インターリーブ送信装置６は、長周期インターリーブ部１０、外外符号符号化部１１、外符号符号化部１２、短周期インターリーブ部１３、内符号符号化部１４、同期信号発生部１５、デジタル変調部１６、緊急放送制御信号発生部３１、およびスイッチＳＷ３２〜３４を備えている。図１に示した従来のインターリーブ送信装置２と比べると、インターリーブ送信装置６は、緊急放送制御信号発生部３１およびスイッチＳＷ３２〜３４を備えている点において異なる。また、インターリーブ受信装置７は、長周期デインターリーブ部２０、外外符号復号部２１、外符号復号部２２、短周期デインターリーブ部２３、内符号復号部２４、同期信号検出部２５、デジタル復調部２６、クロック再生部２７、逓倍・分周部２８、緊急放送制御信号検出部４１、およびスイッチＳＷ４２，４３を備えている。図１に示した従来のインターリーブ受信装置３と比べると、インターリーブ受信装置７は、緊急放送制御信号検出部４１およびスイッチＳＷ４２，４３を備えている点において異なる。
【００２１】
以下、上述した新規に追加された部分を中心に、インターリーブ送信装置６からインターリーブ受信装置７へ伝送路４を介してデータが送受信されている状態の下で、送信者が緊急放送データを送信する場合の動作について説明する。
まず、緊急放送制御信号がアサートされた（有効にされた）場合の動作について説明する。送信者が緊急放送データを送信する場合、緊急放送制御信号発生部３１が緊急放送制御信号をアサートする。すなわち、図示しない緊急放送指示入力部は緊急送信指示信号Ｓ１００を出力し、緊急放送制御信号発生部３１は当該信号Ｓ１００を入力して緊急放送制御信号をアサートする。
【００２２】
緊急放送指示入力部は、出力した緊急送信指示信号Ｓ１００により、スイッチＳＷ３２を接点▲１▼から接点▲２▼に切り替え、長周期インターリーブ部１０へのデータ入力を停止するとともに、スイッチＳＷ３３を接点▲１▼から接点▲２▼に切り替える。そして、緊急放送指示入力部は、緊急放送データを、スイッチＳＷ３２およびスイッチＳＷ３３を介して外符号符号化部１２に直接出力する。
【００２３】
また、緊急放送制御信号発生部３１は、緊急送信指示信号Ｓ１００を入力して緊急放送制御信号をアサートした場合、たとえば周期的に挿入される同期信号を送出し終ったタイミングで一定時間だけスイッチＳＷ３４を接点▲２▼から接点▲３▼に切り替え、緊急放送であることをインターリーブ受信装置７に伝えるための制御信号の多重を該一定時間に行ない、次に緊急放送データを伝送する。その後、同様に同期信号、制御信号、緊急放送データ、・・・の順番で、当該制御信号は、長周期インターリーブ伝送するデータおよび／または緊急放送データとともに時分割多重される。
【００２４】
インターリーブ受信装置７の緊急放送制御信号検出部４１は、インターリーブ送信装置６において多重された緊急放送制御信号を検出すると、緊急受信指示信号Ｓ１０１を出力し、スイッチＳＷ４２を接点▲１▼から接点▲２▼に切り替え、長周期デインターリーブ部２０へのデータ入力を停止するとともに、スイッチＳＷ４３を接点▲１▼から接点▲２▼に切り替える。そして、インターリーブ受信装置７は、緊急放送データを、スイッチＳＷ４２およびスイッチＳＷ４３を介し長周期デインターリーブ部２０をバイパスして、直接出力する。この場合、緊急放送制御信号検出部４１は、検出した緊急放送制御信号によって、緊急放送データが多重されてインターリーブ送信装置６から伝送されることを認識する。
【００２５】
次に、緊急放送制御信号がネゲートされた（無効にされた）場合の動作について説明する。インターリーブ送信装置６において、図示しない緊急放送指示入力部は、緊急送信指示信号Ｓ１００の出力を停止し、スイッチＳＷ３２を接点▲２▼から接点▲１▼に切り替え、長周期インターリーブ部１０への通常のデータ入力を再開させるとともに、スイッチＳＷ３３を接点▲２▼から接点▲１▼に切り替える。これにより、通常の動作に戻り、インターリーブ送信装置６に入力されたデータに対し、長周期インターリーブ部１０および外符号符号化部１２は、それぞれ所定の処理を行う。
【００２６】
また、緊急放送制御信号発生部３１は、スイッチＳＷ３４を接点▲３▼をスキップし、接点▲１▼または▲２▼に交互に切り替え、緊急放送であることをインターリーブ受信装置７に伝えるための制御信号の多重を停止させる。
【００２７】
インターリーブ受信装置７の緊急放送制御信号検出部４１は、緊急放送制御信号Ｓ１０１の検出がされなくなると、緊急受信指示信号Ｓ１０１の出力を停止し、スイッチＳＷ４２およびスイッチＳＷ４３を接点▲２▼から接点▲１▼にそれぞれ切り替え、長周期デインターリーブ部２０へのデータ入力及び長周期デインターリーブ部２０からのデータ読み出しを再開する。
【００２８】
以上、本発明の実施の形態に係るインターリーブ送信装置６およびインターリーブ受信装置７によれば、あるデータの伝送中に緊急放送データを割り込ませて伝送するに際し、インターリーブ送信装置６が割り込みの緊急放送データが伝送されることを示す緊急放送制御信号を伝送し、インターリーブ受信装置７が当該信号を検出するようにし、それまでのデータの送受信を一旦停止し、割り込みの緊急放送データをまず送受信した後、データの送受信を再開するようにした。これにより、インターリーブ送信装置６およびインターリーブ受信装置７は、割り込みの緊急放送データを優先して送受信することができ、その後、それまで送受信していたデータを引き続き送受信することができる。
【００２９】
また、本発明の実施の形態に係るインターリーブ送信装置６およびインターリーブ受信装置７によれば、緊急放送データの送信時に、インターリーブ送信装置６が、インターリーブ受信装置７へ緊急放送制御信号を伝送し、長周期インターリーブ部１０にて緊急放送データを処理しないようにバイパスするようにし、また、インターリーブ受信装置７が、緊急放送制御信号を検出して長周期デインターリーブ部２０にて緊急放送データを処理しないようにバイパスするようにした。これにより、比較的大きな遅延を生じさせる長周期インターリーブ部１０および長周期デインターリーブ部２０の処理が実行されないから、緊急放送データをインターリーブ送信装置６に入力し、インターリーブ受信装置７から取り出すまでの遅延を緩和することができる。
【００３０】
【発明の効果】
以上説明したように、本発明の長周期インターリーブ送信装置および受信装置によれば、緊急情報を割り込ませて送受信するようにしたから、長周期インターリーブ伝送を行っている場合においても、緊急情報を速やかに送受信でき、遅延の緩和が可能となる。また、本発明の長周期インターリーブ送信装置および受信装置によれば、緊急情報に対してインターリーブおよびデインターリーブの処理をバイパスするようにした。これにより、長周期インターリーブ伝送を行っている場合においても、緊急情報を極めて速やかに送受信でき、さらなる遅延の緩和が可能となる。
【図面の簡単な説明】
【図１】従来の長周期インターリーブ伝送システムを説明するブロック図である。
【図２】長周期インターリーブ部におけるデータの信号形式を説明する図である。
【図３】長周期デインターリーブ部におけるデータの信号形式を説明する図である。
【図４】降雨遮断による誤りが発生した場合の長周期デインターリーブ部におけるデータの信号形式を説明する図である。
【図５】本発明の実施の形態に係る長周期インターリーブ送信装置および受信装置を含む長周期インターリーブ伝送システムを説明するブロック図である。
【符号の説明】
１，５  長周期インターリーブ伝送システム
２，６  インターリーブ送信装置
３，７  インターリーブ受信装置
４  伝送路
１０  長周期インターリーブ部
１１  外外符号符号化部
１２  外符号符号化部
１３  短周期インターリーブ部
１４  内符号符号化部
１５  同期信号発生部
１６  デジタル変調部
２０  長周期デインターリーブ部
２１  外外符号復号部
２２  外符号復号部
２３  短周期デインターリーブ部
２４  内符号復号部
２５  同期信号検出部
２６  デジタル復調部
２７  クロック再生部
２８  逓倍・分周部
３１  緊急放送制御信号発生部
３２〜３４，４２，４３  スイッチＳＷ
４１  緊急放送制御信号検出部
【図１】
2004343652.tif 000003
【図２】
2004343652.tif 000004
【図３】
2004343652.tif 000005
【図４】
2004343652.tif 000006
【図５】
2004343652.tif 000007